(57)【要約】      （修正有）【課題】トラフィックの優先度または干渉を考慮した周波数リソースの効率的な割当を行う割当装置を提供する。【解決手段】送信器における割当装置１０において、分割手段１１は、ガードバンドを含む未使用帯域に含まれる連続帯域を割当単位に分割する。演算手段１２は、平均チャネル容量で瞬時チャネル容量を除算した除算結果にトラフィックの優先度が高くなるに従って値が大きくなる補正項を乗算した乗算結果を評価値として演算する。割当手段１３は、第１および第２の割当処理の少なくとも１つを全ての割当単位について実行する。第１の割当処理は、評価値が最大であるユーザに割当単位を割り当てる処理である。第２の割当処理は、割当単位の隣接帯域のユーザの受信信号強度との差がしきい値以下である受信信号強度を有するユーザまたは上記ユーザのサブキャリア幅と同じサブキャリア幅を有するユーザに割当単位を割り当てる処理である。【選択図】図２
2018142854.tif 000002
【特許請求の範囲】
【請求項１】
所定のユーザによる無線通信に用いられないガードバンドと割当対象帯域とを含む第１の無線通信方式と、第２の無線通信方式とが混在する無線通信環境において無線通信リソースの効率的な割当を行う割当装置であって、
ガードバンドを含む未使用帯域に含まれる連続帯域が所定の帯域幅を有する割当単位以上であるとき、前記連続帯域を前記割当単位に分割する分割手段と、
所定の時間単位におけるチャネル容量の平均である平均チャネル容量で瞬時チャネル容量を除算した除算結果にトラフィックの優先度が高くなるに従って値が大きくなり、かつ、トラフィックの優先度が低くなるに従って値が小さくなる補正項を乗算した乗算結果を割当対象となるユーザの評価値として演算する演算処理を割当対象となる全てのユーザについて実行する演算手段と、
第１および第２の割当処理の少なくとも１つを全ての割当単位について実行する割当手段とを備え、
前記第１の割当処理は、前記評価値が最大であるユーザに前記割当単位を割り当てる処理であり、
前記第２の割当処理は、前記割当単位の隣接帯域に割り当てられているユーザの受信信号強度との差がしきい値以下である受信信号強度を有するユーザ、または前記割当単位の隣接帯域に割り当てられたユーザのサブキャリア幅と同じサブキャリア幅を有するユーザに前記割当単位を割り当てる処理である、割当装置。
【請求項２】
前記割当手段は、前記第１および第２の割当処理の各々において、前記割当単位が前記ガードバンドに存在するとき、前記第２の無線通信方式によって無線通信を行うユーザのみに前記割当単位を割り当て、前記割当単位が前記ガードバンド以外の未使用帯域に存在するとき、前記第１の無線通信方式によって無線通信を行うユーザおよび／または前記第２の無線通信方式によって無線通信を行うユーザに前記割当単位を割り当てる、請求項１に記載の割当装置。
【請求項３】
前記割当手段は、前記第１および第２の割当処理の両方を全ての割当単位について実行する、請求項１または請求項２に記載の割当装置。
【請求項４】
前記割当手段は、前記第１の割当処理または前記第２の割当処理において、前記割当単位で割り切れなかった帯域が存在する場合、前記未使用帯域の隣接帯域に割り当てられたユーザのうち、割当量が最も少ないユーザに前記割当単位で割り切れなかった帯域を割り当てる、請求項１から請求項３のいずれか１項に記載の割当装置。
【請求項５】
前記割当手段は、前記第１の割当処理または前記第２の割当処理において、最大の評価値を有するユーザが複数存在する場合、トラフィックの優先度が最も高いユーザに前記割当単位を割り当てる、請求項１から請求項４のいずれか１項に記載の割当装置。
【請求項６】
前記演算手段は、前記演算処理において、所定の時間単位における受信信号強度の平均である平均受信信号強度で瞬時受信信号強度を除算した除算結果に前記補正項を乗算した乗算結果を前記評価値として演算する、請求項１から請求項５のいずれか１項に記載の割当装置。
【請求項７】
前記演算手段は、前記演算処理において、所定の時間単位におけるスループットの平均である平均スループットで瞬時スループットを除算した除算結果に前記補正項を乗算した乗算結果を前記評価値として演算する、請求項１から請求項５のいずれか１項に記載の割当装置。
【請求項８】
請求項１から請求項７のいずれか１項に記載の割当装置を備える送信機。
【請求項９】
所定のユーザによる無線通信に用いられないガードバンドと割当対象帯域とを含む第１の無線通信方式と、第２の無線通信方式とが混在する無線通信環境において無線通信リソースの効率的な割当をコンピュータに実行させるためのプログラムであって、
分割手段が、ガードバンドを含む未使用帯域に含まれる連続帯域が所定の帯域幅を有する割当単位以上であるとき、前記連続帯域を前記割当単位に分割する第１のステップと、
演算手段が、所定の時間単位におけるチャネル容量の平均である平均チャネル容量で瞬時チャネル容量を除算した除算結果にトラフィックの優先度が高くなるに従って値が大きくなり、かつ、トラフィックの優先度が低くなるに従って値が小さくなる補正項を乗算した乗算結果を割当対象となるユーザの評価値として演算する演算処理を割当対象となる全てのユーザについて実行する第２のステップと、
割当手段が、第１および第２の割当処理の少なくとも１つを全ての割当単位について実行する第３のステップとをコンピュータに実行させ、
前記第１の割当処理は、前記評価値が最大であるユーザに前記割当単位を割り当てる処理であり、
前記第２の割当処理は、前記割当単位の隣接帯域に割り当てられているユーザの受信信号強度との差がしきい値以下である受信信号強度を有するユーザまたは前記割当単位の隣接帯域に割り当てられたユーザのサブキャリア幅と同じサブキャリア幅を有するユーザに前記割当単位を割り当てる処理である、コンピュータに実行させるためのプログラム。
【請求項１０】
前記第３のステップにおいて、前記割当手段は、前記第１および第２の割当処理の各々において、前記割当単位が前記ガードバンドに存在するとき、前記第２の無線通信方式によって無線通信を行うユーザのみに前記割当単位を割り当て、前記割当単位が前記ガードバンド以外の未使用帯域に存在するとき、前記第１の無線通信方式によって無線通信を行うユーザおよび／または前記第２の無線通信方式によって無線通信を行うユーザに前記割当単位を割り当てる、請求項９に記載のコンピュータに実行させるためのプログラム。
【請求項１１】
前記第３のステップにおいて、前記割当手段は、前記第１および第２の割当処理の両方を全ての割当単位について実行する、請求項９または請求項１０に記載のコンピュータに実行させるためのプログラム。
【請求項１２】
前記割当手段は、前記第１の割当処理または前記第２の割当処理において、前記割当単位で割り切れなかった帯域が存在する場合、前記未使用帯域の隣接帯域に割り当てられたユーザのうち、割当量が最も少ないユーザに前記割当単位で割り切れなかった帯域を割り当てる、請求項９〜は請求項１１のいずれか１項に記載のコンピュータに実行させるためのプログラム。
【請求項１３】
前記割当手段は、前記第１の割当処理または前記第２の割当処理において、最大の評価値を有するユーザが複数存在する場合、トラフィックの優先度が最も高いユーザに前記割当単位を割り当てる、請求項９から請求項１２のいずれか１項に記載のコンピュータに実行させるためのプログラム。
【請求項１４】
前記演算手段は、前記演算処理において、所定の時間単位における受信信号強度の平均である平均受信信号強度で瞬時受信信号強度を除算した除算結果に前記補正項を乗算した乗算結果を前記評価値として演算する、請求項９から請求項１３のいずれか１項に記載のコンピュータに実行させるためのプログラム。
【請求項１５】
前記演算手段は、前記演算処理において、所定の時間単位におけるスループットの平均である平均スループットで瞬時スループットを除算した除算結果に前記補正項を乗算した乗算結果を前記評価値として演算する、請求項９から請求項１３のいずれか１項に記載のコンピュータに実行させるためのプログラム。
【請求項１６】
請求項９から請求項１５のいずれか１項に記載のプログラムを記録したコンピュータ読み取り可能な記録媒体。
【発明の詳細な説明】
【技術分野】
【０００１】
この発明は、割当装置、それを備えた送信機、コンピュータに実行させるためのプログラム、およびプログラムを記録したコンピュータ読み取り可能な記録媒体に関するものである。
【背景技術】
【０００２】
第５世代移動通信システム（５Ｇ）では、多種多様なトラフィックを持つ通信機器が１つの無線通信システムに接続されるため、限られた周波数資源の更なる有効利用が重要となる。
【０００３】
３ＧＰＰ（Third Generation Partnership Project）において、５Ｇの新たな信号波形の１つとして、サブキャリア幅を柔軟に選択可能なＧＦＤＭ（Generalized Frequency Division Multiplexing）（非特許文献１）が検討されており（非特許文献２）、今後、既存のＯＦＤＭ（Orthogonal Frequency Division Multiplexing）と新規なＧＦＤＭとが混在する環境が想定される。
【０００４】
ＬＴＥ（Long Term Evolution）等の既存のＯＦＤＭ信号を用いるシステムでは、ガードバンド以外の周波数帯域に対して、リソースブロックと呼ばれる一定のサブキャリア単位で周波数リソースの割当制御が行われる。
【０００５】
その際、割当先（ユーザ／端末）の選択方法として、送信機会の公平性を考慮したＰＦ（Proportional Fairness）（非特許文献３）等が知られている。
【０００６】
一般的なリソース割当では、割当先の推定スループット（データレート）または受信ＳＩＮＲ（Signal to Interference and Noise Ratio）等から計算される指標（メトリック）を比較し、メトリックが最大であるユーザを割当先に選択する。
【０００７】
この場合、瞬時値のみで割当先を選択すると、ユーザ毎に通信環境が異なるため、通信環境の悪いユーザには割り当てられ難い状況となり、ユーザ間で送信機会の不公平が生じ易くなる。
【０００８】
そこで、ＰＦでは、メトリック＝（瞬時データレート）／（平均データレート）のように平均値を用いて送信機会の少ないユーザほど、メトリックが大きくなるように調整することにより、ユーザ間の送信機会の公平性を考慮している。
【先行技術文献】
【非特許文献】
【０００９】
【非特許文献１】G. Fettweis, et al., “GFDM-Generalized Frequency Division Multiplexing,” Proc. IEEE VTC 2009, Apr. 2009.
【非特許文献２】3GPP, R1-164327, Fujitsu, “On coexistence of new waveforms for NR”.
【非特許文献３】C. Wengerter, J. Ohlhorst, A.G.E. von Elbwart, “Fairness and throughput analysis for generalized proportional fair frequency scheduling in OFDMA,” IEEE 61stVTC, vol. 5, May 2005.
【非特許文献４】夜船  誠致、吉岡  達哉、新保  宏之、“GFDMを用いた異なる幅のサブキャリア間干渉除去に関する一検討”,信学総大,B-17-5, Mar.2016．
【非特許文献５】R. Datta, I. Kanno, M. Ariyoshi, “Evaluation of Flexible Hybrid Multicarrier Transmission System for 5G Mobile Network,” 電子情報通信学会，スマート無線研究会（ＳＲ）移動通信ワーキングショップ，SR2014-11, pp. 1-5, Mar. 2015.
【発明の概要】
【発明が解決しようとする課題】
【００１０】
５Ｇで扱う多種多様なトラフィックは、通信品質およびリアルタイム性等の要求性能が異なるため、各トラフィックのＱｏＳ（Quality of Service）（優先度および遅延許容量等）に配慮しながら、限られた周波数リソースの効率的な割当制御を行う必要がある。
【００１１】
しかし、従来のＰＦでは、ＱｏＳを考慮した周波数リソースの効率的な割当制御を行うことができないという問題がある。
【００１２】
また、周波数リソースの効率的利用（スループットの向上）には、ＧＦＤＭを用いて小さいサイズのトラフィックを処理することが有効な手段となるが、ＯＦＤＭ／ＧＦＤＭの混在で生じるキャリア間干渉でスループットが劣化するため、干渉を考慮したリソース割当制御が必要となる。
【００１３】
図１０は、ＧＦＤＭ技術を用いた送信信号の受信信号における自信号のキャリア間干渉ＩＣＩと他のユーザからの干渉ＩＵＩとを示す模式図である。
【００１４】
図１０に示すように、ＧＦＤＭ技術を用いた送信信号の受信信号は、自信号のキャリア間干渉ＩＣＩ（Inter Carrier Interference）と、他のユーザからの干渉ＩＵＩ（Inter User Interference）とを含む。
【００１５】
そして、自信号のＩＣＩと他のユーザからのＩＵＩとをキャンセルすることによって、受信信号の特性改善が見込めることが確認されており（非特許文献４）、既存のＯＦＤＭシステム上でＯＦＤＭが利用しないガードバンドにＧＦＤＭを配置した場合に、ＧＦＤＭ信号の両端（数サブキャリア）を空きとすることでＩＣＩ／ＩＵＩを低減できることも確認されている（非特許文献５）。
【００１６】
しかし、上述した方法だけで完全な干渉除去はできないため、リソース割当時の配慮が必要となる。
【００１７】
そこで、この発明の実施の形態によれば、トラフィックの優先度または干渉を考慮した周波数リソースの効率的な割当を行う割当装置を提供する。
【００１８】
また、この発明の実施の形態によれば、トラフィックの優先度または干渉を考慮した周波数リソースの効率的な割当を行う割当装置を備える送信機を提供する。
【００１９】
更に、この発明の実施の形態によれば、トラフィックの優先度または干渉を考慮した周波数リソースの効率的な割当をコンピュータに実行させるためのプログラムを提供する。
【００２０】
更に、この発明の実施の形態によれば、トラフィックの優先度または干渉を考慮した周波数リソースの効率的な割当をコンピュータに実行させるためのプログラムを記録したコンピュータ読み取り可能な記録媒体を提供する。
【課題を解決するための手段】
【００２１】
（構成１）
この発明の実施の形態によれば、割当装置は、所定のユーザによる無線通信に用いられないガードバンドと割当対象帯域とを含む第１の無線通信方式と、第２の無線通信方式とが混在する無線通信環境において無線通信リソースの効率的な割当を行う割当装置であって、分割手段と、演算手段と、割当手段とを備える。
【００２２】
分割手段は、ガードバンドを含む未使用帯域に含まれる連続帯域が所定の帯域幅を有する割当単位以上であるとき、連続帯域を周波数リソースである１つ以上の割当単位に分割する。
【００２３】
演算手段は、所定の時間単位におけるチャネル容量の平均である平均チャネル容量で瞬時チャネル容量を除算した除算結果にトラフィックの優先度が高くなるに従って値が大きくなり、かつ、トラフィックの優先度が低くなるに従って値が小さくなる補正項を乗算した乗算結果を割当対象となるユーザの評価値として演算する演算処理を割当対象となる全てのユーザについて実行する。
【００２４】
割当手段は、第１および第２の割当処理の少なくとも１つを全ての割当単位について実行する。
【００２５】
そして、第１の割当処理は、評価値が最大であるユーザに割当単位を割り当てる処理である。
【００２６】
また、第２の割当処理は、割当単位の隣接帯域に割り当てられているユーザの受信信号強度との差がしきい値以下である受信信号強度を有するユーザまたは割当単位の隣接帯域に割り当てられたユーザのサブキャリア幅と同じサブキャリア幅を有するユーザに割当単位を割り当てる処理である。
【００２７】
この発明の実施の形態による割当装置は、トラフィックの優先度が高いほど値が大きくなり、かつ、トラフィックの優先度が低いほど値が小さくなる評価値が最大であるユーザ、または割当単位の隣接帯域を使用するユーザとの干渉を低減可能なユーザに割当単位を割り当てる。
【００２８】
従って、トラフィックの優先度を考慮して周波数リソースを効率的に割り当てことができ、または干渉を低減するように周波数リソースを効率的に割り当てことができる。
【００２９】
（構成２）
構成１において、割当手段は、第１および第２の割当処理の各々において、割当単位がガードバンドに存在するとき、第２の無線通信方式によって無線通信を行うユーザのみに割当単位を割り当て、割当単位がガードバンド以外の未使用帯域に存在するとき、第１の無線通信方式によって無線通信を行うユーザおよび／または第２の無線通信方式によって無線通信を行うユーザに割当単位を割り当てる。
【００３０】
構成２によれば、割当装置は、第１の無線通信方式によって無線通信を行うユーザが使用できないガードバンドを第２の無線通信方式によって無線通信を行うユーザに割り当て、ガードバンド以外の未使用帯域を第１の無線通信方式によって無線通信を行うユーザおよび／または第２の無線通信方式によって無線通信を行うユーザに割り当てる。
【００３１】
従って、第２の無線通信方式によって無線通信を行うユーザが効率的に無線通信を行うことができ、システム全体のスループットを向上できる。
【００３２】
（構成３）
構成１または構成２において、割当手段は、第１および第２の割当処理の両方を全ての割当単位について実行する。
【００３３】
構成３によれば、割当装置は、トラフィックの優先度および干渉の両方を考慮して割当単位をユーザに割り当てるため、優先度の高いユーザが干渉を低減して無線通信を行うことができる。
【００３４】
（構成４）
構成１から構成３のいずれかにおいて、割当手段は、第１の割当処理または第２の割当処理において、割当単位で割り切れなかった未使用帯域が存在する場合、その未使用帯域の隣接帯域に割り当てられたユーザのうち、割当量が最も少ないユーザに割当単位で割り切れなかった未使用帯域を割り当てる。
【００３５】
構成４によれば、隣接帯域に割り当てられたユーザとの干渉を低減して、割当量が最も少ないユーザと隣接ユーザとのスループットを向上できる。
【００３６】
（構成５）
構成１から構成４のいずれかにおいて、割当手段は、第１の割当処理または第２の割当処理において、最大の評価値を有するユーザが複数存在する場合、トラフィックの優先度が最も高いユーザに割当単位を割り当てる。
【００３７】
構成５によれば、トラフィックの優先度が最も高いユーザによる無線通信の遅延を低減できる。
【００３８】
（構成６）
構成１から構成５のいずれかにおいて、演算手段は、演算処理において、所定の時間単位における受信信号強度の平均である平均受信信号強度で瞬時受信信号強度を除算した除算結果に補正項を乗算した乗算結果を評価値として演算する。
【００３９】
構成６によれば、瞬時受信信号強度が低いために無線通信の機会が少ないユーザにも無線通信の機会を付与できる。
【００４０】
（構成７）
構成１から構成５のいずれかにおいて、演算手段は、演算処理において、所定の時間単位におけるスループットの平均である平均スループットで瞬時スループットを除算した除算結果に前記補正項を乗算した乗算結果を前記評価値として演算する。
【００４１】
構成７によれば、瞬時スループットが低いために無線通信の機会が少ないユーザにも無線通信の機会を付与できる。
【００４２】
（構成８）
また、この発明の実施の形態によれば、送信機は、構成１から構成７のいずれか１項に記載の割当装置を備える。
【００４３】
構成８によれば、トラフィックの優先度を考慮して効率的に割り当てられた周波数リソース、または干渉を低減するように効率的に割り当てられた周波数リソースを用いて送信信号を送信できる。
【００４４】
（構成９）
更に、この発明の実施の形態によれば、プログラムは、所定のユーザによる無線通信に用いられないガードバンドと割当対象帯域とを含む第１の無線通信方式と、第２の無線通信方式とが混在する無線通信環境において無線通信リソースの効率的な割当をコンピュータに実行させるためのプログラムであって、
分割手段が、ガードバンドを含む未使用帯域に含まれる連続帯域が所定の帯域幅を有する割当単位以上であるとき、前記連続帯域を前記割当単位に分割する第１のステップと、
演算手段が、所定の時間単位におけるチャネル容量の平均である平均チャネル容量で瞬時チャネル容量を除算した除算結果にトラフィックの優先度が高くなるに従って値が大きくなり、かつ、トラフィックの優先度が低くなるに従って値が小さくなる補正項を乗算した乗算結果を割当対象となるユーザの評価値として演算する演算処理を割当対象となる全てのユーザについて実行する第２のステップと、
割当手段が、第１および第２の割当処理の少なくとも１つを全ての割当単位について実行する第３のステップとをコンピュータに実行させるためのプログラムである。
【００４５】
そして、第１の割当処理は、評価値が最大であるユーザに割当単位を割り当てる処理であり、第２の割当処理は、割当単位の隣接帯域に割り当てられたユーザの受信信号強度との差がしきい値以下である受信信号強度を有するユーザまたは割当単位の隣接帯域に割り当てられたユーザのサブキャリア幅と同じサブキャリア幅を有するユーザに割当単位を割り当てる処理である。
【００４６】
この発明の実施の形態によるプログラムをコンピュータに実行させることにより、割当単位は、トラフィックの優先度が高いほど値が大きくなり、かつ、トラフィックの優先度が低いほど値が小さくなる評価値が最大であるユーザ、または割当単位の隣接帯域を使用するユーザとの干渉を低減可能なユーザに割り当てられる。
【００４７】
従って、トラフィックの優先度を考慮して周波数リソースを効率的に割り当てことができ、または干渉を低減するように周波数リソースを効率的に割り当てことができる。
【００４８】
（構成１０）
構成９において、割当手段は、第３のステップにおいて、第１および第２の割当処理の各々において、割当単位がガードバンドに存在するとき、第２の無線通信方式によって無線通信を行うユーザのみに割当単位を割り当て、割当単位がガードバンド以外の未使用帯域に存在するとき、第１の無線通信方式によって無線通信を行うユーザおよび／または第２の無線通信方式によって無線通信を行うユーザに割当単位を割り当てる。
【００４９】
構成１０によれば、プログラムをコンピュータに実行させることにより、第２の無線通信方式によって無線通信を行うユーザの周波数リソースは、第１の無線通信方式によって無線通信を行うユーザが使用できないガードバンド、またはガードバンド以外の未使用帯域に割り当てられ、第１の無線通信方式によって無線通信を行うユーザの周波数リソースは、ガードバンド以外の未使用帯域に割り当てられる。
【００５０】
従って、第２の無線通信方式によって無線通信を行うユーザが効率的に無線通信を行うことができ、全体のスループットを向上できる。
【００５１】
（構成１１）
構成９または構成１０において、割当手段は、第３のステップにおいて、第１および第２の割当処理の両方を全ての割当単位について実行する。
【００５２】
構成１１によれば、プログラムをコンピュータに実行させることにより、割当単位は、トラフィックの優先度および干渉の両方を考慮してユーザに割り当てられる。
【００５３】
従って、優先度の高いユーザが干渉を低減して無線通信を行うことができる。
【００５４】
（構成１２）
構成９から構成１１のいずれかにおいて、割当手段は、第１の割当処理または第２の割当処理において、割当単位で割り切れなかった未使用帯域が存在する場合、その未使用帯域の隣接帯域に割り当てられたユーザのうち、割当量が最も少ないユーザに割当単位で割り切れなかった未使用帯域を割り当てる。
【００５５】
構成１２によれば、プログラムをコンピュータに実行させることにより、隣接帯域に割り当たられたユーザとの干渉を低減して、割当量が最も少ないユーザと隣接ユーザとのスループットを向上できる。
【００５６】
（構成１３）
構成９から構成１２のいずれかにおいて、割当手段は、第１の割当処理または第２の割当処理において、最大の評価値を有するユーザが複数存在する場合、トラフィックの優先度が最も高いユーザに割当単位を割り当てる。
【００５７】
構成１３によれば、プログラムをコンピュータに実行させることにより、トラフィックの優先度が最も高いユーザによる無線通信の遅延を低減できる。
【００５８】
（構成１４）
構成９から構成１３のいずれかにおいて、演算手段は、演算処理において、所定の時間単位における受信信号強度の平均である平均受信信号強度で瞬時受信信号強度を除算した除算結果に補正項を乗算した乗算結果を評価値として演算する。
【００５９】
構成１４によれば、プログラムをコンピュータに実行させることにより、瞬時受信信号強度が低いために無線通信の機会が少ないユーザにも無線通信の機会を付与できる。
【００６０】
（構成１５）
構成９から構成１３のいずれかにおいて、演算手段は、演算処理において、所定の時間単位におけるスループットの平均である平均スループットで瞬時スループットを除算した除算結果に補正項を乗算した乗算結果を評価値として演算する。
【００６１】
構成１５によれば、プログラムをコンピュータに実行させることにより、瞬時スループットが低いために無線通信の機会が少ないユーザにも無線通信の機会を付与できる。
【００６２】
更に、この発明の実施の形態による記録媒体は、構成９から構成１５のいずれかに記載のプログラムを記録したコンピュータ読み取り可能な記録媒体である。
【発明の効果】
【００６３】
トラフィックの優先度を考慮して周波数リソースを効率的に割り当てことができ、または干渉を低減するように周波数リソースを効率的に割り当てことができる。
【図面の簡単な説明】
【００６４】
【図１】この発明の実施の形態による送信機の概略図である。
【図２】図１に示す割当装置の構成を示す概略図である。
【図３】割当対象の帯域の概念図である。
【図４】補正項（１／（１＋α（ＱＣＩｄｅｌａｙ）β））とＱＣＩｄｅｌａｙとの関係を示す図である。
【図５】割当装置の動作を説明するためのフローチャートである。
【図６】割当装置の動作を説明するための別のフローチャートである。
【図７】割当装置の動作を説明するための更に別のフローチャートである。
【図８】トータルスループットとＳＩＮＲとの関係を示す図である。
【図９】図１に示す送信機の動作を説明するためのフローチャートである。
【図１０】ＧＦＤＭ技術を用いた送信信号の受信信号における自信号のキャリア間干渉ＩＣＩと他のユーザからの干渉ＩＵＩとを示す模式図である。
【発明を実施するための形態】
【００６５】
本発明の実施の形態について図面を参照しながら詳細に説明する。なお、図中同一または相当部分には同一符号を付してその説明は繰返さない。
【００６６】
図１は、この発明の実施の形態による送信機の概略図である。図１を参照して、この発明の実施の形態による送信機１００は、ＯＦＤＭ（第１の無線通信方式）と、ＧＦＤＭ（第２の無線通信方式）とが混在する無線通信環境において無線通信を行う送信機である。
【００６７】
送信機１００は、割当装置１０と、送信部ＯＦＤＭ−１〜ＯＦＤＭ−ｉ（ｉは正の整数）と、送信部ＧＦＤＭ−１〜ＧＦＤＭ−ｊ（ｊは正の整数）と、加算器１２０と、ＤＡ変換器１２１と、無線ユニット１２２と、アンテナ１２３とを備える。
【００６８】
割当装置１０は、ユーザ情報、無線通信に用いる帯域、ＳＩＮＲ（干渉信号電力とノイズ電力との和に対する信号強度の比）およびスループットを含むＵＥ（User Equipment）情報をホストシステム（図示せず）から受け、その受けたＵＥ情報に基づいて、後述する方法によって、ＯＦＤＭを用いて無線通信を行うユーザ（ＯＦＤＭユーザ）と、ＧＦＤＭを用いて無線通信を行うユーザ（ＧＦＤＭユーザ）とに無線通信用の帯域を割り当て、その割り当てた割当帯域を送信部ＯＦＤＭ１〜ＯＦＤＭ−ｉおよび送信部ＧＦＤＭ１〜ＧＦＤＭ−ｊへ出力する。
【００６９】
なお、この発明の実施の形態においては、「ユーザ」の語は、無線通信を行う送信機または送信機の所有者を意味する。
【００７０】
送信部ＧＦＤＭ１〜ＧＦＤＭ−ｊの各々は、符号化部１０１と、シンボルマッピング部１０２と、シリアルパラレル変換器１０３と、アップサンプリング処理部１０４−１〜１０４−Ｋ（Ｋは１以上の整数）と、波形整形フィルタ１０５−１〜１０５−Ｋと、サブキャリアアップコンバータ１０６−１〜１０６−Ｋと、加算器１０７と、ＣＰ（Cyclic Prefix）部１０８とを含む。
【００７１】
符号化部１０１は、情報ビットをホストシステム（図示せず）から受け、その受けた情報ビットを符号化し、その符号化した符号情報ビットをシンボルマッピング部１０２へ出力する。
【００７２】
シンボルマッピング部１０２は、符号情報ビットを符号化部１０１から受け、その受けた符号情報ビットを複素数データからなる送信シンボルに変調する。そして、シンボルマッピング部１０２は、その変調した送信シンボルをシリアルパラレル変換器１０３へ出力する。
【００７３】
シリアルパラレル変換器１０３は、割当帯域を割当装置１０から受け、送信シンボルをシンボルマッピング部１０２から受ける。そして、シリアルパラレル変換器１０３は、その受けた割当帯域において、送信シンボルをＫ個のサブキャリアとＭ個のタイムスロットに分配する。このようにして分配されたデータは、ブロック構造によって次式（１）によって表される。
【００７４】
【数１】
2018142854.tif 000003
【００７５】
ここで、複素数データの送信シンボルｄｋ［ｍ］は、ｋ（ｋは、１≦ｋ≦Ｋを満たす整数）番目のサブキャリアで、ｍ番目のタイムスロット中で送信されるデータシンボルである。
【００７６】
従って、送信機１００では、各サブキャリアに対応して、Ｋ個の同様の処理系統が構成される。
【００７７】
送信機１００のこのようなｋ番目の処理系統に注目すると、複素数データの送信シンボルｄｋ［ｍ］（ｍ＝０，１，・・・，Ｍ−１）は、アップサンプリング処理部１０４−ｋによってＮ倍にアップサンプリングされ、次式（２）で表される信号に変換される。
【００７８】
【数２】
2018142854.tif 000004
【００７９】
ここで、δ［・］は、ディラック関数である。
【００８０】
従って、次式（３）が成り立つ。
【００８１】
【数３】
2018142854.tif 000005
【００８２】
続いて、波形整形フィルタ１０５−ｋは、フィルタ長さＬ（≦Ｍ）のパルス整形フィルタｇ［ｎ］（ｎ＝０，１，・・・，（ＬＮ−１））をデータシーケンスｄＮｋ［ｎ］に適用する。
【００８３】
ここで、フィルタリングによる伝送レートの低下は、以下の公知文献１に記述されるテイルバイティング技術およびそれに続くディジタル・サブキャリアアップコンバートにより回避される。
【００８４】
公知文献１：G. Fettweis, M. Krondorf, and S. Bittner,”Gfdm - Generalized Freq
uency Division Multiplexing,” in Vehicular Technology Conference, 2009. VTC Spr
ing 2009 IEEE 69th， april 2009， pp. 1 -4．
従って、サブキャリアアップコンバータ１０６−ｋから出力されるサブキャリア送信信号ｘｋ［ｎ］は、次式（４）によって表すことができる。
【００８５】
【数４】
2018142854.tif 000006
【００８６】
ここで、○内に＋の記号は、巡回畳込を表示し、ｗｋｎは、次式（５）によって表される。
【００８７】
【数５】
2018142854.tif 000007
【００８８】
Ｎは、サブキャリアの各々のパルス波形に必要なアップサンプリングファクタである。
【００８９】
式（１）と同様に、送信信号ｘｋ［ｎ］も、次式（６）のようなブロック構造で表現することができる。
【００９０】
【数６】
2018142854.tif 000008
【００９１】
その後、加算器１０７は、サブキャリア信号を全て加算することにより、データブロックＤの送信信号を、次式（７）のように生成する。
【００９２】
【数７】
2018142854.tif 000009
【００９３】
そして、加算器１０７は、式（７）により表されるデータブロックＤの送信信号をＣＰ部１０８へ出力する。
【００９４】
ＣＰ部１０８は、データブロックＤの送信信号の先頭にサイクリックプレフィックスと呼ばれるガード区間を挿入して加算器１２０へ出力する。
【００９５】
送信部ＯＦＤＭ−１〜ＯＦＤＭ−ｉの各々は、符号化部１１１と、シンボルマッピング部１１２と、シリアルパラレル変換機１１３と、ＩＦＦＴ（Inverse Fast Fourier Transform）部１１４と、パラレルシリアル変換器１１５と、ＣＰ部１１６とを含む。
【００９６】
符号化部１１１は、情報ビットをホストシステム（図示せず）から受け、その受けた情報ビットを符号化し、その符号化した符号情報ビットをシンボルマッピング部１１２へ出力する。
【００９７】
シンボルマッピング部１１２は、符号情報ビットを符号化部１１１から受け、その受けた符号情報ビットを複素数データからなる送信シンボルに変調する。そして、シンボルマッピング部１１２は、その変調した送信シンボルをシリアルパラレル変換器１１３へ出力する。
【００９８】
シリアルパラレル変換器１１３は、割当帯域を割当装置１０から受け、送信シンボルをシンボルマッピング部１１２から受ける。そして、シリアルパラレル変換器１１３は、その受けた割当帯域において、送信シンボルをシリアル列からパラレル列に変換し、パラレル列に変換した送信シンボルをＩＦＦＴ部１１４へ出力する。
【００９９】
ＩＦＦＴ部１１４は、パラレル列に変換された送信シンボルをシリアルパラレル変換器１１３から受け、その受けた送信シンボルを逆高速フーリエ変換し、逆高速フーリエ変換した送信シンボルをパラレルシリアル変換器１１５へ出力する。
【０１００】
パラレルシリアル変換器１１５は、逆高速フーリエ変換された送信シンボルをＩＦＦＴ部１１４から受け、その受けた送信シンボルをパラレル列からシリアル列に変換し、シリアル列に変換された送信シンボルをＣＰ部１１６へ出力する。
【０１０１】
ＣＰ部１１６は、データブロックの送信信号の先頭にサイクリックプレフィックスと呼ばれるガード区間を挿入して加算器１２０へ出力する。
【０１０２】
加算器１２０は、ガード区間が挿入されたデータブロック（送信信号）を送信部ＯＦＤＭ−１〜ＯＦＤＭ−ｉおよび送信部ＧＦＤＭ−１〜ＧＦＤＭ−ｊから受け、その受けた送信信号を加算し、その加算した送信信号をＤＡ変換器１２１へ出力する。
【０１０３】
ＤＡ変換器１２１は、送信信号を加算器１２０から受け、その受けた送信信号をデジタル信号からアナログ信号に変換し、その変換したアナログ信号からなる送信信号を無線ユニット１２２へ出力する。
【０１０４】
無線ユニット１２２は、ＤＡ変換器１２１から受けた送信信号をベースバンド信号に変換し、その変換したベースバンド信号をアンテナ１２３を介して送信する。
【０１０５】
送信機１００は、上述した方法によってＯＦＤＭまたは／およびＧＦＤＭを用いて送信信号を送信する。
【０１０６】
図２は、図１に示す割当装置１０の構成を示す概略図である。図２を参照して、割当装置１０は、分割手段１１と、演算手段１２と、割当手段１３とを含む。
【０１０７】
分割手段１１は、ＵＥ情報をホストシステム（図示せず）から受け、その受けたＵＥ情報に含まれる無線通信の帯域を検出する。そして、分割手段１１は、その検出した帯域に基づいて、無線通信に用いられていない未使用帯域を検出する。
【０１０８】
その後、分割手段１１は、割当単位ＢＷａｌｌｏｃ以上の連続帯域が未使用帯域に存在するか否かを判定する。
【０１０９】
割当単位ＢＷａｌｌｏｃ以上の連続帯域が未使用帯域に存在しないと判定された場合、割当装置１０は、動作を停止する。
【０１１０】
一方、分割手段１１は、割当単位ＢＷａｌｌｏｃ以上の連続帯域が未使用帯域に存在すると判定したとき、連続帯域をＳ個の割当単位ＢＷａｌｌｏｃ（ｓ）（ｓ＝１〜Ｓ）に分割する。各ＢＷａｌｌｏｃ（ｓ）は、例えば、１５〜１８０ｋＨｚの帯域幅を有する。
【０１１１】
そして、分割手段１１は、その分割したＳ個の割当単位ＢＷａｌｌｏｃ（ｓ）（ｓ＝１〜Ｓ）を演算手段１２および割当手段１３へ出力する。
【０１１２】
演算手段１２は、タイマーを内蔵している。演算手段１２は、ＵＥ情報をホストシステム（図示せず）から受けると、その受けたＵＥ情報に含まれるＳＩＮＲおよびスループットを検出する。また、演算手段１２は、Ｓ個の割当単位ＢＷａｌｌｏｃ（ｓ）（ｓ＝１〜Ｓ）を分割手段１１から受ける。
【０１１３】
そして、演算手段１２は、次式によって、メトリック（評価値）Ｍｅｔｒｉｃ（ＢＷａｌｌｏｃ（ｓ），ｘ）を演算する。
【０１１４】
【数８】
2018142854.tif 000010
【０１１５】
式（８）において、ＱＣＩｄｅｌａｙ（ｘ）は、ＱＣＩ遅延許容量［ｓ］を表し、αは、遅延許容量を調整する係数（深さ）を表し、βは、遅延許容量を調整する係数（傾き）を表す。
【０１１６】
式（８）における瞬時ＳＩＮＲ（ＢＷａｌｌｏｃ（ｓ），ｘ）は、次式によって表される。
【０１１７】
【数９】
2018142854.tif 000011
【０１１８】
式（９）において、Ｐｒｘ（ＢＷａｌｌｏｃ（ｓ），ｘ，ｔ）は、時刻ｔにおけるユーザｘの割当単位ＢＷａｌｌｏｃ（ｓ）の受信信号を表す。
【０１１９】
また、式（９）の右辺のＰｔｘの上に“＾”が記された項は、次式によって表され、時刻ｔにおけるユーザｘの割当単位ＢＷａｌｌｏｃ（ｓ）の推定送信信号である。
【０１２０】
【数１０】
2018142854.tif 000012
【０１２１】
式（１０）において、Ｈ（ｘ）は、リファレンス信号から推定されるユーザｘのチャネル推定値である。
【０１２２】
式（８）における平均ＳＩＮＲ（ｘ）は、次式によって表される。
【０１２３】
【数１１】
2018142854.tif 000013
【０１２４】
式（１１）におけるＴ（ｘ）は、ＳＩＮＲの測定時間であり、Ｔｅｎｄ（ｘ）−Ｔｓｔａｒｔ（ｘ）によって求められる。
【０１２５】
演算手段１２は、式（８）〜式（１１）を用いて、メトリック（評価値）Ｍｅｔｒｉｃ（ＢＷａｌｌｏｃ（ｓ），ｘ）を演算すると、その演算したメトリック（評価値）Ｍｅｔｒｉｃ（ＢＷａｌｌｏｃ（ｓ），ｘ）を割当手段１３へ出力する。
【０１２６】
割当手段１３は、ＵＥ情報をホストシステム（図示せず）から受け、割当単位ＢＷａｌｌｏｃを分割手段１１から受け、メトリック（評価値）Ｍｅｔｒｉｃ（ＢＷａｌｌｏｃ（ｓ），ｘ）を演算手段１２から受ける。
【０１２７】
そして、割当手段１３は、ＵＥ情報に含まれるユーザ情報（ＯＦＤＭユーザおよびＧＦＤＭユーザ）を検出する。
【０１２８】
また、割当手段１３は、割当単位ＢＷａｌｌｏｃ（ｓ）がガードバンド内に存在するか否かを判定する。
【０１２９】
割当手段１３は、割当単位ＢＷａｌｌｏｃ（ｓ）がガードバンド内に存在すると判定したとき、割当対象のユーザとして登録された登録ユーザのうち、ＧＦＤＭユーザを割当候補に登録する。
【０１３０】
一方、割当手段１３は、割当単位ＢＷａｌｌｏｃ（ｓ）がガードバンド内に存在しないと判定したとき、全登録ユーザ（ＯＦＤＭユーザおよびＧＦＤＭユーザ）を割当候補に登録する。
【０１３１】
そして、割当手段１３は、割当単位ＢＷａｌｌｏｃ（ｓ）の隣接帯域にＧＦＤＭユーザが割り当てられているか否かを判定する。
【０１３２】
割当手段１３は、割当単位ＢＷａｌｌｏｃ（ｓ）の隣接帯域にＧＦＤＭユーザが割り当てられていると判定したとき、登録ユーザのうち、隣接帯域のユーザとサブキャリア幅が異なるユーザを割当候補から除外し、その除外した残りの割当候補のうち、最大のメトリック（評価値）Ｍｅｔｒｉｃ（ＢＷａｌｌｏｃ（ｓ），ｘ）を有するユーザに割当単位ＢＷａｌｌｏｃ（ｓ）を割り当てる。
【０１３３】
一方、割当手段１３は、割当単位ＢＷａｌｌｏｃ（ｓ）の隣接帯域にＧＦＤＭユーザが割り当てられていないと判定したとき、割当候補のうち、最大のメトリック（評価値）Ｍｅｔｒｉｃ（ＢＷａｌｌｏｃ（ｓ），ｘ）を有するユーザに割当単位ＢＷａｌｌｏｃ（ｓ）を割り当てる。
【０１３４】
最大のメトリック（評価値）Ｍｅｔｒｉｃ（ＢＷａｌｌｏｃ（ｓ），ｘ）を有するユーザに割当単位ＢＷａｌｌｏｃ（ｓ）を割り当てる場合の詳細な動作は、次の通りである。
【０１３５】
割当手段１３は、最大のメトリック（評価値）Ｍｅｔｒｉｃ（ＢＷａｌｌｏｃ（ｓ），ｘ）が複数存在するか否かを判定する。
【０１３６】
割当手段１３は、最大のメトリック（評価値）Ｍｅｔｒｉｃ（ＢＷａｌｌｏｃ（ｓ），ｘ）が複数存在すると判定したとき、最大の優先度を持つユーザに割当単位ＢＷａｌｌｏｃ（ｓ）を割り当てる。なお、優先度は、遅延許容量との関係で３ＧＰＰによって規定されており、優先度０．５〜優先度９からなる。この優先度は、通信データの用途または要求品質（遅延許容量または許容されるデータ損失率など）に応じて決められており、値が小さいほど、優先度が高くなる。なお、優先度０．７の遅延許容量が最も小さく、優先度５，６，８，９の遅延許容量が最も大きい。
【０１３７】
一方、割当手段１３は、最大のメトリック（評価値）Ｍｅｔｒｉｃ（ＢＷａｌｌｏｃ（ｓ），ｘ）が複数存在しないと判定したとき、最大のメトリック（評価値）Ｍｅｔｒｉｃ（ＢＷａｌｌｏｃ（ｓ），ｘ）を有するユーザに割当単位ＢＷａｌｌｏｃ（ｓ）を割り当てる。
【０１３８】
割当手段１３は、上述した方法によって、全ての割当単位ＢＷａｌｌｏｃ（ｓ）を割り当てる。
【０１３９】
そして、割当手段１３は、全ての割当単位ＢＷａｌｌｏｃ（ｓ）を割り当てた後、割当単位ＢＷａｌｌｏｃ（ｓ）で割り切れなかった未使用帯域が存在するか否かを判定する。
【０１４０】
割当手段１３は、割当単位ＢＷａｌｌｏｃ（ｓ）で割り切れなかった未使用帯域が存在すると判定したとき、未使用帯域の隣接リソースに割り当てられたユーザのうち、割当量の少ないユーザに未使用帯域を連続的に割り当てる。
【０１４１】
一方、割当単位ＢＷａｌｌｏｃ（ｓ）で割り切れなかった未使用帯域が存在しないと判定したとき、割当装置１０の動作が終了する。
【０１４２】
図３は、割当対象の帯域の概念図である。なお、図３は、割当単位ＢＷａｌｌｏｃ（ｓ）の帯域幅が、例えば、１．４ＭＨｚである場合の帯域の概念図を示す。
【０１４３】
図３を参照して、図３の紙面上、横方向が時間軸であり、縦方向が周波数軸である。割当対象となる帯域は、ＯＦＤＭガードバンドと、リソースブロック（ＲＢ：Resource Block）帯域とを１つのセットしたとき、このセットが周波数軸の方向に連続する帯域である。
【０１４４】
ＯＦＤＭガードバンドは、ＯＦＤＭユーザを割り当てることができない干渉を防ぐための帯域である。
【０１４５】
従って、この発明の実施の形態においては、ＯＦＤＭユーザをリソースブロック帯域に割り当て、ＧＦＤＭユーザをＯＦＤＭガードバンドおよびリソースブロック帯域の両方に割り当てる。
【０１４６】
つまり、ｓ＝１，ｓ＝２，・・・によってそれぞれ表される割当単位ＢＷａｌｌｏｃ（１），ＢＷａｌｌｏｃ（２），・・・には、ＧＦＤＭユーザを割り当て、リソースブロックＲＢ１〜ＲＢ３によって表される帯域、およびリソースブロックＲＢ４，ＲＢ５によって表される帯域には、ＯＦＤＭユーザを割り当て、ｓ＝ｑ，ｓ＝ｑ＋１によって表される割当単位ＢＷａｌｌｏｃ（ｑ），ＢＷａｌｌｏｃ（ｑ＋１）には、ＧＦＤＭユーザを割り当てる。
【０１４７】
その結果、リソースブロック帯域には、ＯＦＤＭユーザおよびＧＦＤＭユーザの両方が割り当てられる。
【０１４８】
そして、ｓ＝１〜Ｓの全ての割当単位においては、割当候補のユーザのメトリックが同じである場合、トラフィックの優先度が高いユーザを割り当てる。また、同一のリソースブロック帯域内のある割当単位ＢＷａｌｌｏｃ（ｓ）でＯＦＤＭのメトリックが最大である場合、割当単位ＢＷａｌｌｏｃ（ｑ），ＢＷａｌｌｏｃ（ｑ＋１）には、ＯＦＤＭユーザを割り当てる。
【０１４９】
なお、リソースブロックＲＢ１〜ＲＢ５の各々は、割当単位ＢＷａｌｌｏｃ（ｓ）の帯域幅と同一または異なる帯域幅を有し、ＯＦＤＭによって規定された帯域幅を有する。
【０１５０】
図４は、補正項（１／（１＋α（ＱＣＩｄｅｌａｙ）β））とＱＣＩｄｅｌａｙとの関係を示す図である。
【０１５１】
図４において、縦軸は、補正項（１／（１＋α（ＱＣＩｄｅｌａｙ）β））を表し、横軸は、ＱＣＩｄｅｌａｙ[ｘ]を表す。
【０１５２】
図４においては、係数α，βの値を変化させたときの補正項（１／（１＋α（ＱＣＩｄｅｌａｙ）β））とＱＣＩｄｅｌａｙとの関係を示す。
【０１５３】
図４を参照して、係数αを０．１，０．５，１．０，１．５，２．０，３．０と変化させ、係数βを０．１，０．５，１．０，１．５，２．０，３．０と変化させたとき、補正項（１／（１＋α（ＱＣＩｄｅｌａｙ）β））は、ＱＣＩｄｅｌａｙが小さくなるに従って大きくなる。
【０１５４】
このように、補正項（１／（１＋α（ＱＣＩｄｅｌａｙ）β））は、許容遅延量ＱＣＩｄｅｌａｙが小さくなると（つまり、優先度が高くなると）、大きくなり、許容遅延量ＱＣＩｄｅｌａｙが大きくなると（つまり、優先度が低くなると）、小さくなる。その結果、メトリックＭｅｔｒｉｃ（ＢＷａｌｌｏｃ（ｓ），ｘ）は、許容遅延量ＱＣＩｄｅｌａｙが小さくなると（つまり、優先度が高くなると）、大きくなり、許容遅延量ＱＣＩｄｅｌａｙが大きくなると（つまり、優先度が低くなると）、小さくなる。
【０１５５】
従って、補正項（１／（１＋α（ＱＣＩｄｅｌａｙ）β））は、優先度が高くになる従ってメトリックＭｅｔｒｉｃ（ＢＷａｌｌｏｃ（ｓ），ｘ）が大きくなるように補正し、優先度が低くなる従ってメトリックＭｅｔｒｉｃ（ＢＷａｌｌｏｃ（ｓ），ｘ）が小さくなるように補正する。
【０１５６】
これによって、優先度が高いユーザに周波数リソースを優先的に割り当てることができる。
【０１５７】
また、β＝１．０である場合、αが０．１〜３．０の範囲で大きくなると、補正項（１／（１＋α（ＱＣＩｄｅｌａｙ）β））は、各ＱＣＩｄｅｌａｙ（ｘ）に対して小さくなり、αが０．１〜３．０の範囲で小さくなると、補正項（１／（１＋α（ＱＣＩｄｅｌａｙ）β））は、各ＱＣＩｄｅｌａｙ（ｘ）に対して大きくなる。
【０１５８】
その結果、βが一定である場合、補正項（１／（１＋α（ＱＣＩｄｅｌａｙ）β））は、αに反比例する。そして、αを大きくすることは、遅延許容量ＱＣＩｄｅｌａｙを調整する度合いを大きくすることになり、αを小さくすることは、遅延許容量ＱＣＩｄｅｌａｙを調整する度合いを小さくすることになる。
【０１５９】
従って、αは、遅延許容量ＱＣＩｄｅｌａｙを調整する深さを表す係数である。
【０１６０】
更に、α＝１．０である場合、βが０．１〜３．０の範囲で大きくなると、補正項（１／（１＋α（ＱＣＩｄｅｌａｙ）β））は、各ＱＣＩｄｅｌａｙ（ｘ）に対して大きくなり、βが０．１〜３．０の範囲で小さくなると、補正項（１／（１＋α（ＱＣＩｄｅｌａｙ）β））は、各ＱＣＩｄｅｌａｙ（ｘ）に対して小さくなる。
【０１６１】
その結果、αが一定である場合、補正項（１／（１＋α（ＱＣＩｄｅｌａｙ）β））は、βによって指数関数的に変化する。そして、βを大きくすることは、遅延許容量ＱＣＩｄｅｌａｙのべき乗数を大きくすることになり、βを小さくすることは、遅延許容量ＱＣＩｄｅｌａｙのべき乗数を小さくすることになる。つまり、βは、遅延許容量ＱＣＩｄｅｌａｙを調整する度合いの変化割合を決定する。
【０１６２】
従って、βは、遅延許容量ＱＣＩｄｅｌａｙを調整する傾きを表す係数である。
【０１６３】
図５は、割当装置１０の動作を説明するためのフローチャートである。図５を参照して、割当装置１０の動作が開始されると、分割手段１１は、現時刻での未使用の周波数帯域の情報を登録する（ステップＳ１）。
【０１６４】
そして、演算手段１２は、通信要求のあるユーザ情報（ｘ）を登録する（ステップＳ２）。
【０１６５】
その後、分割手段１１は、未使用帯域のうち、割当単位ＢＷａｌｌｏｃ（ｓ）以上の連続帯域があるか否かを判定する（ステップＳ３）。
【０１６６】
ステップＳ３において、割当単位ＢＷａｌｌｏｃ（ｓ）以上の連続帯域が無いと判定されたとき、割当装置１０の動作は、終了する。ＯＦＤＭユーザおよびＧＦＤＭユーザのいずれも、未使用帯域に割り当てることができないからである。
【０１６７】
一方、ステップＳ３において、割当単位ＢＷａｌｌｏｃ（ｓ）以上の連続帯域があると判定されたとき、分割手段１１は、連続帯域を一定の帯域幅を有する割当単位ＢＷａｌｌｏｃ（ｓ）に分割する（ステップＳ４）。この分割によって、割当単位ＢＷａｌｌｏｃ（ｓ）の最大個数Ｓが決定される。
【０１６８】
そして、分割手段１１は、その分割したＳ個の割当単位ＢＷａｌｌｏｃ（１）〜ＢＷａｌｌｏｃ（Ｓ）を割当手段１３へ出力する。
【０１６９】
割当手段１３は、Ｓ個の割当単位ＢＷａｌｌｏｃ（１）〜ＢＷａｌｌｏｃ（Ｓ）を分割手段１１から受けると、ｓ＝１を設定する（ステップＳ５）。
【０１７０】
そして、割当手段１３は、割当単位ＢＷａｌｌｏｃ（ｓ）がガードバンド内に存在するか否かを判定する（ステップＳ６）。
【０１７１】
ステップＳ６において、割当単位ＢＷａｌｌｏｃ（ｓ）がガードバンド内に存在すると判定されたとき、割当手段１３は、登録ユーザのうち、ＧＦＤＭユーザを割当候補に登録する（ステップＳ７）。
【０１７２】
一方、ステップＳ６において、割当単位ＢＷａｌｌｏｃ（ｓ）がガードバンド内に存在しないと判定されたとき、割当手段１３は、全登録ユーザ（ＯＦＤＭユーザおよびＧＦＤＭユーザ）を割当候補に登録する（ステップＳ８）。
【０１７３】
そして、ステップＳ７またはステップＳ８の後、割当手段１３は、割当単位ＢＷａｌｌｏｃ（ｓ）の隣接領域にＧＦＤＭユーザが割り当てられているか否かを判定する（ステップＳ９）。
【０１７４】
ステップＳ９において、割当単位ＢＷａｌｌｏｃ（ｓ）の隣接領域にＧＦＤＭユーザが割り当てられていないと判定されたとき、一連の動作は、ステップＳ１１へ移行する。
【０１７５】
一方、ステップＳ９において、割当単位ＢＷａｌｌｏｃ（ｓ）の隣接領域にＧＦＤＭユーザが割り当てられていると判定されたとき、割当手段１３は、登録ユーザのうち、隣接帯域のユーザとサブキャリア幅が異なるユーザを割当候補から除外する（ステップＳ１０）。これによって、無線通信における異なるサブキャリア幅を持つユーザ同士の干渉を低減できる。
【０１７６】
そして、ステップＳ１０の後、またはステップＳ９において、割当単位ＢＷａｌｌｏｃ（ｓ）の隣接領域にＧＦＤＭユーザが割り当てられていないと判定されたとき、演算手段１２は、割当候補のユーザ毎にＰＦメトリック（＝Ｍｅｔｒｉｃ（ＢＷａｌｌｏｃ（ｓ），ｘ））を式（８）〜式（１０）を用いて演算し（ステップＳ１１）、その演算したＰＦメトリック（＝Ｍｅｔｒｉｃ（ＢＷａｌｌｏｃ（ｓ），ｘ））を割当手段１３へ出力する。
【０１７７】
割当手段１３は、ＰＦメトリック（＝Ｍｅｔｒｉｃ（ＢＷａｌｌｏｃ（ｓ），ｘ））を演算手段１２から受ける。そして、割当手段１３は、最大のＰＦメトリックを持つユーザが複数存在するか否かを判定する（ステップＳ１２）。
【０１７８】
ステップＳ１２において、最大のＰＦメトリックを持つユーザが複数存在すると判定されたとき、割当手段１３は、最大の優先度を持つユーザに割当単位ＢＷａｌｌｏｃ（ｓ）を割り当てる（ステップＳ１３）。
【０１７９】
一方、ステップＳ１２において、最大のＰＦメトリックを持つユーザが複数存在しないと判定されたとき、割当手段１３は、最大のＰＦメトリックを持つユーザに割当単位ＢＷａｌｌｏｃ（ｓ）を割り当てる（ステップＳ１４）。
【０１８０】
そして、ステップＳ１３またはステップＳ１４の後、割当手段１３は、登録した未使用帯域から割当単位ＢＷａｌｌｏｃ（ｓ）を削除する（ステップＳ１５）。
【０１８１】
その後、割当手段１３は、ｓ＝Ｓであるか否かを判定する（ステップＳ１６）。
【０１８２】
ステップＳ１６において、ｓ＝Ｓでないと判定されたとき、割当手段１３は、ｓ＝ｓ＋１を設定する（ステップＳ１７）。その後、一連の動作は、ステップＳ６へ移行し、ステップＳ１６において、ｓ＝Ｓであると判定されるまで、ステップＳ６〜ステップＳ１７が繰り返し実行される。
【０１８３】
そして、ステップＳ１６において、ｓ＝Ｓであると判定されると、割当手段１３は、割当単位ＢＷａｌｌｏｃ（ｓ）で割り切れなかった未使用帯域が存在するか否かを判定する（ステップＳ１８）。
【０１８４】
ステップＳ１８において、割当単位ＢＷａｌｌｏｃ（ｓ）で割り切れなかった未使用帯域が存在しないと判定されたとき、一連の動作は、終了する。
【０１８５】
一方、ステップＳ１８において、割当単位ＢＷａｌｌｏｃ（ｓ）で割り切れなかった未使用帯域が存在すると判定されたとき、割当手段１３は、未使用帯域の隣接リソースに割り当てられたユーザのうち、割当量が少ないユーザに未使用帯域を連続的に割り当てる（ステップＳ１９）。
【０１８６】
そして、ステップＳ３において、未使用帯域のうち、割当単位ＢＷａｌｌｏｃ（ｓ）以上の連続帯域が無いと判定されたとき、またはステップＳ１８において、割当単位ＢＷａｌｌｏｃ（ｓ）で割り切れなかった未使用帯域が存在しないと判定されたとき、またはステップＳ１９の後、一連の動作は、終了する。
【０１８７】
ステップＳ６において、割当単位ＢＷａｌｌｏｃ（ｓ）がガードバンド内に存在すると判定され、ステップＳ７を経由してステップＳ９へ移行した場合、割当単位ＢＷａｌｌｏｃ（ｓ）が最大のＰＦメトリック（＝Ｍｅｔｒｉｃ（ＢＷａｌｌｏｃ（ｓ），ｘ））を有するＧＦＤＭユーザに割り当てられる（ステップＳ１３，Ｓ１４参照）。
【０１８８】
また、ステップＳ６において、割当単位ＢＷａｌｌｏｃ（ｓ）がガードバンド内に存在しないと判定され、ステップＳ８を経由してステップＳ９へ移行した場合、割当単位ＢＷａｌｌｏｃ（ｓ）が最大のＰＦメトリック（＝Ｍｅｔｒｉｃ（ＢＷａｌｌｏｃ（ｓ），ｘ））を有するＧＦＤＭユーザまたはＯＦＤＭユーザに割り当てられる（ステップＳ１３，Ｓ１４参照）。
【０１８９】
そして、ＰＦメトリック（＝Ｍｅｔｒｉｃ（ＢＷａｌｌｏｃ（ｓ），ｘ））は、式（８）に示すように１／（１＋α×（ＱＣＩｄｅｌａｙ（ｘ））β）によって補正されて求められる。また、ＯＦＤＭガードバンドおよびリソースブロック帯域に含まれる割当単位ＢＷａｌｌｏｃ（ｓ）をＧＦＤＭユーザまたはＯＦＤＭユーザに割り当てる。
【０１９０】
従って、各トラフィックのＱｏＳを考慮して周波数リソースを効率的に割り当てることができる。
【０１９１】
また、ステップＳ１０においては、登録ユーザのうち、隣接帯域のユーザとサブキャリア幅が異なるユーザを割当候補から除外する。これにより、サブキャリア幅が異なるユーザが隣接するのを防止でき、ＧＦＤＭとＯＦＤＭとの混在によって生じるキャリア間干渉に起因してスループットが低下することが抑制される。
【０１９２】
従って、干渉を低減して周波数リソースをユーザに割り当てることができる。
【０１９３】
そして、ステップＳ１０において、登録ユーザのうち、隣接帯域のユーザとサブキャリア幅が異なるユーザを割当候補から除外することは、登録ユーザのうち、隣接帯域のユーザとサブキャリア幅が同じであるユーザを割当候補から除外しないことに相当するので、ステップＳ１０を経由して、ステップＳ１３またはステップＳ１４に至った場合、登録ユーザのうち、隣接帯域のユーザとサブキャリア幅が同じであるユーザに割当単位ＢＷａｌｌｏｃ（ｓ）が割り当てられることになる。
【０１９４】
なお、この発明の実施の形態においては、ステップＳ１０において、登録ユーザのうち、隣接帯域のユーザとサブキャリア幅が異なるユーザを割当候補から除外することに代えて、ＳＩＮＲ差がしきい値よりも大きいユーザを割当候補から除外するようにしてもよい。この場合、しきい値は、例えば、干渉によって隣接ユーザのスループットが著しく低下しない値である。つまり、割り当てた結果、割当済みの隣接ユーザのスループットが大きく低下しないレベルをしきい値とすることで、しきい値よりも大きいＳＩＮＲ差を有するユーザ割当／干渉を防止する。
【０１９５】
これによって、ＳＩＮＲ差が大きいユーザの割当帯域が隣接するのを防止でき、ＧＦＤＭとＯＦＤＭとの混在によって生じるキャリア間干渉に起因してスループットが低下することが抑制される。
【０１９６】
従って、干渉を低減して周波数リソースをユーザに割り当てることができる。
【０１９７】
このように、割当装置１０は、図５に示すフローチャートに従って、各トラフィックのＱｏＳおよび干渉の両方を考慮して周波数リソースをユーザに割り当てる。
【０１９８】
ＳＩＮＲ差がしきい値よりも大きいユーザを割当候補から除外する場合、ＳＩＮＲ差がしきい値以下であるユーザに割当単位ＢＷａｌｌｏｃ（ｓ）が割り当てられることになる。
【０１９９】
図６は、割当装置１０の動作を説明するための別のフローチャートである。
【０２００】
図６に示すフローチャートは、図５に示すフローチャートのステップＳ９，Ｓ１０を削除したものであり、その他は、図５に示すフローチャートと同じである。
【０２０１】
割当装置１０は、図６に示すフローチャートに従って割当単位ＢＷａｌｌｏｃ（ｓ）を各ユーザに割り当てる場合、ステップＳ７またはステップＳ８の後、ステップＳ１１〜ステップＳ１９を順次実行する。
【０２０２】
その結果、割当装置１０は、干渉を考慮せずに各トラフィックのＱｏＳのみを考慮して周波数リソースをユーザに割り当てる。
【０２０３】
これによって、優先度の高いユーザに割当単位ＢＷａｌｌｏｃ（ｓ）を割り当てることができる。
【０２０４】
図７は、割当装置１０の動作を説明するための更に別のフローチャートである。図７に示すフローチャートは、図５に示すフローチャートのステップＳ１１，Ｓ１３をそれぞれステップＳ１１Ａ，Ｓ１３Ａに代えたものであり、その他は、図５に示すフローチャートと同じである。
【０２０５】
図７を参照して、割当装置１０は、一連の動作が開始されると、上述したステップＳ１〜ステップＳ１０を順次実行する。
【０２０６】
そして、ステップＳ１０の後、割当装置１０の演算手段１２は、次式に従ってＰＦメトリック（＝Ｍｅｔｒｉｃ＊（ＢＷａｌｌｏｃ（ｓ），ｘ））を演算する（ステップＳ１１Ａ）。
【０２０７】
【数１２】
2018142854.tif 000014
【０２０８】
なお、式（１２）において、瞬時ＳＩＮＲ（ＢＷａｌｌｏｃ（ｓ），ｘ）は、式（９），（１０）を用いて演算され、平均ＳＩＮＲ（ｘ）は、式（９），（１１）を用いて演算される。
【０２０９】
ステップＳ１１Ａの後、割当装置１０は、上述したステップＳ１２を実行する。そして、ステップＳ１２において、最大のＰＦメトリックを持つユーザが複数存在すると判定されたとき、割当装置１０の割当手段１３は、最大のＰＦメトリックを持つ任意のユーザに割当単位ＢＷａｌｌｏｃ（ｓ）を割り当てる（ステップＳ１３Ａ）。
【０２１０】
そして、割当装置１０は、ステップＳ１３ＡまたはステップＳ１４の後、上述したステップＳ１５〜ステップＳ１９を順次実行する。
【０２１１】
このように、割当装置１０は、図７に示すフローチャートに従って、各トラフィックのＱｏＳを考慮せずに干渉のみを考慮して周波数リソースをユーザに割り当てる。
【０２１２】
これによって、干渉を低減するようにユーザに割当単位ＢＷａｌｌｏｃ（ｓ）を割り当てることができる。
【０２１３】
上記においては、演算手段１２は、式（８）〜式（１１）を用いてメトリックＭｅｔｒｉｃ（ＢＷａｌｌｏｃ（ｓ），ｘ）を演算すると説明したが、この発明の実施の形態においては、これに限らず、次式によってメトリックＭｅｔｒｉｃ（ＢＷａｌｌｏｃ（ｓ），ｘ）を演算してもよい。
【０２１４】
【数１３】
2018142854.tif 000015
【０２１５】
式（１３）において、瞬時Ｔｈｒｏｕｇｈｐｕｔ（ＢＷａｌｌｏｃ（ｓ），ｘ）は、次式によって演算される。
【０２１６】
【数１４】
2018142854.tif 000016
【０２１７】
また、式（１３）において、平均Ｔｈｒｏｕｇｈｐｕｔ（ｘ）は、次式によって演算される。
【０２１８】
【数１５】
2018142854.tif 000017
【０２１９】
式（１５）において、Ｔ（ｘ）は、測定時間であり、Ｔｅｎｄ（ｘ）−Ｔｓｔａｒｔ（ｘ）によって求められる。
【０２２０】
このように、演算手段１２は、スループットを用いてメトリックＭｅｔｒｉｃ（ＢＷａｌｌｏｃ（ｓ），ｘ）を演算する。
【０２２１】
演算手段１２が式（１３）〜式（１５）を用いてメトリックＭｅｔｒｉｃ（ＢＷａｌｌｏｃ（ｓ），ｘ）を演算する場合も、割当装置１０の動作は、図５に示すフローチャートまたは図６に示すフローチャートに従って実行される。
【０２２２】
この場合、演算手段１２は、図５または図６のステップＳ１１において、式（１３）〜式（１５）を用いてメトリックＭｅｔｒｉｃ（ＢＷａｌｌｏｃ（ｓ），ｘ）を演算する。
【０２２３】
この場合も、図５または図６において説明した効果が得られる。
【０２２４】
スループットを用いてメトリックを演算する場合、割当装置１０の動作は、図７に示すローチャートに従って実行されてもよい。
【０２２５】
この場合、演算手段１２は、次式に従ってＰＦメトリック（＝Ｍｅｔｒｉｃ＊（ＢＷａｌｌｏｃ（ｓ），ｘ））を演算する。
【０２２６】
【数１６】
2018142854.tif 000018
【０２２７】
なお、式（１６）において、瞬時Ｔｈｒｏｕｇｈｐｕｔ（ＢＷａｌｌｏｃ（ｓ），ｘ）は、式（１４）を用いて演算され、平均Ｔｈｒｏｕｇｈｐｕｔ（ｘ）は、式（１４），（１５）を用いて演算される。
【０２２８】
そして、演算手段１２は、図７のステップＳ１１Ａにおいて、式（１４）〜式（１６）を用いてＰＦメトリック（＝Ｍｅｔｒｉｃ＊（ＢＷａｌｌｏｃ（ｓ），ｘ））を演算する。
【０２２９】
この場合も、図７において説明した効果が得られる。
【０２３０】
この発明の実施の形態においては、演算手段１２は、一般的に、次式によってＰＦメトリック（＝Ｍｅｔｒｉｃ（ＢＷａｌｌｏｃ（ｓ），ｘ））を演算すればよい。
【０２３１】
【数１７】
2018142854.tif 000019
【０２３２】
上述したＳＩＮＲおよびスループットＴｈｒｏｕｇｈｐｕｔは、チャネル容量として一般化できるので、式（１７）においては、「チャネル容量」を用いることにしたものである。
【０２３３】
式（１７）における瞬時チャネル容量（ＢＷａｌｌｏｃ（ｓ），ｘ）は、次式によって演算される。
【０２３４】
【数１８】
2018142854.tif 000020
【０２３５】
また、式（１７）における平均チャネル容量（ＢＷａｌｌｏｃ（ｓ），ｘ）は、式（１８）および次式によって演算される。
【０２３６】
【数１９】
2018142854.tif 000021
【０２３７】
演算手段１２が式（１７）〜式（１９）を用いてメトリックＭｅｔｒｉｃ（ＢＷａｌｌｏｃ（ｓ），ｘ）を演算する場合も、割当装置１０の動作は、図５に示すフローチャートまたは図６に示すフローチャートに従って実行される。
【０２３８】
この場合、演算手段１２は、図５または図６のステップＳ１１において、式（１７）〜式（１９）を用いてメトリックＭｅｔｒｉｃ（ＢＷａｌｌｏｃ（ｓ），ｘ）を演算する。
【０２３９】
この場合も、図５または図６において説明した効果が得られる。
【０２４０】
チャネル容量を用いてメトリックを演算する場合、割当装置１０の動作は、図７に示すローチャートに従って実行されてもよい。
【０２４１】
この場合、演算手段１２は、次式に従ってＰＦメトリック（＝Ｍｅｔｒｉｃ＊（ＢＷａｌｌｏｃ（ｓ），ｘ））を演算する。
【０２４２】
【数２０】
2018142854.tif 000022
【０２４３】
なお、式（２０）において、瞬時チャネル容量（ＢＷａｌｌｏｃ（ｓ），ｘ）は、式（１８）を用いて演算され、平均チャネル容量（ｘ）は、式（１８），（１９）を用いて演算される。
【０２４４】
そして、演算手段１２は、図７のステップＳ１１Ａにおいて、式（１８）〜式（２０）を用いてＰＦメトリック（＝Ｍｅｔｒｉｃ＊（ＢＷａｌｌｏｃ（ｓ），ｘ））を演算する。
【０２４５】
この場合も、図７において説明した効果が得られる。
【０２４６】
図８は、トータルスループットとＳＩＮＲとの関係を示す図である。図８において、縦軸は、トータルスループットを表し、横軸は、ＳＩＮＲを表す。また、実線は、ＯＦＤＭにより無線通信を行う２個の端末装置と、ＧＦＤＭにより無線通信を行う２個の端末装置とが混在する環境において、この発明の実施の形態による方法によって周波数リソースを割り当てた場合のトータルスループットとＳＩＮＲとの関係を示し、点線は、ＯＦＤＭにより無線通信を行う４個の端末装置が存在する環境において、従来の方法によって周波数リソースを割り当てた場合のトータルスループットとＳＩＮＲとの関係を示す。
【０２４７】
なお、図８は、周波数帯域が１．４ＭＨｚであり、ＡＷＧＮ環境であり、α＝１．０であり、β＝１．０であり、割当単位ＢＷａｌｌｏｃ＝１８０ｋＨｚであり、ＱＣＩｄｅｌａｙ＝０．０５〜０．３［ｍｓ］（Ｐｒｉｏｒｉｔｙ＝２〜５）である場合におけるトータルスループットとＳＩＮＲとの関係を示す。
【０２４８】
図８を参照して、トータルスループットは、ＳＩＮＲの増加に伴って大きくなる（実線および点線参照）。
【０２４９】
そして、ＳＩＮＲ＝−２ｄＢ〜１０ｄＢの範囲において、この発明の実施の形態による方法（図５に示すフローチャートに従う方法）によって割当単位ＢＷａｌｌｏｃ（ｓ）を割り当てた場合のトータルスループットは、従来の方法によって割当単位ＢＷａｌｌｏｃ（ｓ）を割り当てた場合のトータルスループットよりも大きく改善されることが分かった。
【０２５０】
図９は、図１に示す送信機１００の動作を説明するためのフローチャートである。図９を参照して、一連の動作が開始されると、送信機１００の割当装置１０は、図５から図７のいずれかに示すフローチャートに従って、上述した方法によって割当単位ＢＷａｌｌｏｃ（ｓ）（即ち、周波数リソース）をユーザに割り当てる（ステップＳ２１）。
【０２５１】
そして、ＧＦＤＭ／ＯＦＤＭの両方によって送信信号が送信されるか否かが判定される（ステップＳ２２）。
【０２５２】
ステップＳ２２において、ＧＦＤＭ／ＯＦＤＭの両方によって送信信号が送信されると判定された場合、送信部ＧＦＤＭ−１〜ＧＦＤＭ−ｊは、割り当てられた周波数リソース（割当単位ＢＷａｌｌｏｃ（ｓ））においてＧＦＤＭに従って送信信号を生成する（ステップＳ２３）。
【０２５３】
また、送信部ＯＦＤＭ−１〜ＯＦＤＭ−ｉは、割り当てられた周波数リソース（割当単位ＢＷａｌｌｏｃ（ｓ））においてＯＦＤＭに従って送信信号を生成する（ステップＳ２４）。
【０２５４】
そして、ＧＦＤＭによって生成された送信信号とＯＦＤＭによって生成された送信信号とは、加算されて送信される（ステップＳ２５）。
【０２５５】
一方、ステップＳ２２において、ＧＦＤＭ／ＯＦＤＭの両方によって送信信号が送信されないと判定された場合、ＧＦＤＭによって送信信号が送信されるか否かが判定される（ステップＳ２６）。
【０２５６】
ステップＳ２６において、ＧＦＤＭによって送信信号が送信されると判定されたとき、送信部ＧＦＤＭ−１〜ＧＦＤＭ−ｊは、割り当てられた周波数リソース（割当単位ＢＷａｌｌｏｃ（ｓ））においてＧＦＤＭに従って送信信号を生成する（ステップＳ２７）。
【０２５７】
そして、ＧＦＤＭによって生成された送信信号は、送信される（ステップＳ２８）。
【０２５８】
一方、ステップＳ２６において、ＧＦＤＭによって送信信号が送信されないと判定されたとき、送信部ＯＦＤＭ−１〜ＯＦＤＭ−ｉは、割り当てられた周波数リソース（割当単位ＢＷａｌｌｏｃ（ｓ））においてＯＦＤＭに従って送信信号を生成する（ステップＳ２９）。
【０２５９】
そして、ＯＦＤＭによって生成された送信信号は、送信される（ステップＳ３０）。
【０２６０】
そうすると、ステップＳ２５、ステップＳ２８およびステップＳ３０のいずれかの後、送信機１００の動作が終了する。
【０２６１】
送信機１００は、割当装置１０を備えるので、各トラフィックのＱｏＳおよび／または干渉を考慮して周波数リソースを効率的にユーザに割り当て、ＧＦＤＭおよび／またはＯＦＤＭによって送信信号を送信する。
【０２６２】
従って、上述したようにスループットを大きく向上できる。
【０２６３】
この発明の実施の形態においては、割当装置１０の動作は、ソフトウェアによって実行されてもよい。
【０２６４】
この場合、割当装置１０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）を備える。
【０２６５】
ＲＯＭは、図５に示すフローチャートのステップＳ１〜Ｓ１９を備えるプログラムＰｒｏｇ＿Ａ、図６に示すフローチャートのステップＳ１〜Ｓ８，Ｓ１１〜Ｓ１９を備えるプログラムＰｒｏｇ＿Ｂ、および図７に示すフローチャートのステップＳ１〜Ｓ１０，Ｓ１１Ａ，Ｓ１２，Ｓ１３Ａ，Ｓ１４〜Ｓ１９を備えるプログラムＰｒｏｇ＿Ｃを格納する。
【０２６６】
ＲＡＭは、メトリックＭｅｔｒｉｃの演算における途中の演算結果を一時的に格納する。
【０２６７】
そして、ＣＰＵは、ＲＯＭからプログラムＰｒｏｇ＿Ａ〜Ｐｒｏｇ＿Ｃのいずれかを読み出して実行し、上述した方法によって、ＧＦＤＭのユーザおよび／またはＯＦＤＭのユーザに周波数リソースを割り当てる。
【０２６８】
また、プログラムＰｒｏｇ＿Ａ〜Ｐｒｏｇ＿Ｃのいずれかは、ＣＤ，ＤＶＤ等の記録媒体に記録されて流通してもよい。
【０２６９】
プログラムＰｒｏｇ＿Ａ〜Ｐｒｏｇ＿Ｃのいずれかを記録した記録媒体をパーソナルコンピュータに装着すると、ＣＰＵは、記録媒体からプログラムＰｒｏｇ＿Ａ〜Ｐｒｏｇ＿Ｃのいずれかを読み出して実行し、上述した方法によって、ＧＦＤＭのユーザおよび／またはＯＦＤＭのユーザに周波数リソースを割り当てる。
【０２７０】
従って、プログラムＰｒｏｇを記録した記録媒体は、コンピュータ（ＣＰＵ）読み取り可能な記録媒体である。
【０２７１】
また、上記においては、割当装置１０は、ＧＦＤＭとＯＦＤＭとが混在する無線通信環境において、周波数リソースを効率的に割り当てることを説明したが、この発明の実施の形態においては、これに限らず、割当装置１０は、一般的には、第１の無線通信方式と第２の無線通信方式とが混在する無線通信環境において、上述した方法によって、周波数リソースを効率的に割り当てるものであればよい。
【０２７２】
従って、この発明の実施の形態によれば、割当装置は、所定のユーザによる無線通信に用いられないガードバンドと割当対象帯域とを含む第１の無線通信方式と、第２の無線通信方式とが混在する無線通信環境において無線通信リソースの効率的な割当を行う割当装置であって、
ガードバンドを含む未使用帯域に含まれる連続帯域が所定の帯域幅を有する割当単位以上であるとき、連続帯域を周波数リソースである１つ以上の割当単位に分割する分割手段と、
所定の時間単位におけるチャネル容量の平均である平均チャネル容量で瞬時チャネル容量を除算した除算結果にトラフィックの優先度が高くなるに従って値が大きくなり、かつ、トラフィックの優先度が低くなるに従って値が小さくなる補正項を乗算した乗算結果を割当対象となるユーザの評価値として演算する演算処理を割当対象となる全てのユーザについて実行する演算手段と、
第１および第２の割当処理の少なくとも１つを全ての割当単位について実行する割当手段とを備えていればよい。
【０２７３】
そして、第１の割当処理は、評価値が最大であるユーザに割当単位を割り当てる処理であり、第２の割当処理は、割当単位の隣接帯域に割り当てられているユーザの受信信号強度との差がしきい値以下である受信信号強度を有するユーザ、または割当単位の隣接帯域に割り当てられたユーザのサブキャリア幅と同じサブキャリア幅を有するユーザに割当単位を割り当てる処理である。
【０２７４】
また、この発明の実施の形態によれば、プログラムは、所定のユーザによる無線通信に用いられないガードバンドと割当対象帯域とを含む第１の無線通信方式と、第２の無線通信方式とが混在する無線通信環境において無線通信リソースの効率的な割当をコンピュータに実行させるためのプログラムであって、
分割手段が、ガードバンドを含む未使用帯域に含まれる連続帯域が所定の帯域幅を有する割当単位以上であるとき、連続帯域を周波数リソースである１つ以上の割当単位に分割する第１のステップと、
演算手段が、所定の時間単位におけるチャネル容量の平均である平均チャネル容量で瞬時チャネル容量を除算した除算結果にトラフィックの優先度が高くなるに従って値が大きくなり、かつ、トラフィックの優先度が低くなるに従って値が小さくなる補正項を乗算した乗算結果を割当対象となるユーザの評価値として演算する演算処理を割当対象となる全てのユーザについて実行する第２のステップと、
割当手段が、第１および第２の割当処理の少なくとも１つを全ての割当単位について実行する第３のステップとをコンピュータに実行させればよい。
【０２７５】
そして、第１の割当処理は、評価値が最大であるユーザに割当単位を割り当てる処理であり、第２の割当処理は、割当単位の隣接帯域に割り当てられているユーザの受信信号強度との差がしきい値以下である受信信号強度を有するユーザまたは割当単位の隣接帯域に割り当てられたユーザのサブキャリア幅と同じサブキャリア幅を有するユーザに割当単位を割り当てる処理である。
【０２７６】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２７７】
この発明は、割当装置、それを備えた送信機、コンピュータに実行させるためのプログラム、およびプログラムを記録したコンピュータ読み取り可能な記録媒体に適用される。
【符号の説明】
【０２７８】
１０  割当装置、１１  分割手段、１２  演算手段、１３  割当手段、１００  送信機、１０１，１１１  符号化部、１０２，１１２  シンボルマッピング部、１０３，１１３  シリアルパラレル変換器、１０４−１〜１０４−Ｋ  アップサンプリング処理部、１０５−１〜１０５−Ｋ  波形整形フィルタ、１０６−１〜１０６−Ｋ  サブキャリアアップコンバータ、１０７，１２０  加算器、１０６，１１６  ＣＰ部、１１４  ＩＦＦＴ、１１５  パラレルシリアル変換器、１２１  ＤＡ変換器、１２２  無線ユニット、１２３  アンテナ。
【図１】
2018142854.tif 000023
【図２】
2018142854.tif 000024
【図３】
2018142854.tif 000025
【図４】
2018142854.tif 000026
【図５】
2018142854.tif 000027
【図６】
2018142854.tif 000028
【図７】
2018142854.tif 000029
【図８】
2018142854.tif 000030
【図９】
2018142854.tif 000031
【図１０】
2018142854.tif 000032